(57)【要約】【課題】  ランプの消灯を迅速に感知することができるランプ駆動装置、これを用いたバックライト組立品及びこれを用いた液晶表示装置を提供すること。【解決手段】  表示のために必要な光を発生させるランプにランプ駆動電圧を印加するために、ベース基板のある一側面にランプ駆動モジュールを配置する。前記ベース基板のうち、ランプと向かい合う面には、ランプの作動状態を感知して感知信号を発生する感知センサーが配置されている。ベース基板には、各感知センサーから出力された感知信号の信号レベルを予め設定された基準信号のレベルと比較して、感知信号のうち少なくとも１つが基準信号レベル以下の場合に、全てのランプに印加されるランプ駆動電圧を遮断する電圧遮断モジュールが具備されている。ランプのうち、少なくとも１つが急に消灯されることを迅速に感知して正常作動するランプが破損又は劣化することを防止する。【選択図】  図１
2004265869.tif 000002
【特許請求の範囲】
【請求項１】
並列配列されたランプと、
前記ランプと向かい合うように配置されたベース基板と、
前記ランプに印加されるランプ駆動電圧を発生させるために前記ベース基板に実装されたランプ駆動モジュールと、
前記ベース基板に前記各ランプと向かい合うように配置され、前記各ランプの作動状態に対応して感知信号を出力する感知センサーと、
前記ベース基板に配置され、前記各感知信号のレベルを予め設定された基準信号レベルと比較して、前記各感知信号のうち少なくとも１つ以上が前記基準信号レベル以下である場合に、前記ランプ駆動電圧の印加を遮断するための電圧遮断信号を前記ランプ駆動モジュールに出力する電圧遮断モジュールと、を含むことを特徴とするランプ駆動装置。
【請求項２】
前記感知センサーは、前記ランプから発生した磁力線を電磁誘導により電流に変換して前記感知信号として出力する導電部材を含むことを特徴とする請求項１記載のランプ駆動装置。
【請求項３】
前記導電部材は、銅板であることを特徴とする請求項２記載のランプ駆動装置。
【請求項４】
前記ランプと前記感知センサーとの間隔は、３ｍｍ〜５ｍｍであることを特徴とする請求項１記載のランプ駆動装置。
【請求項５】
前記ベース基板には、前記ランプと前記感知センサーとの前記間隔を調節するための間隔調節部材が更に設けられていることを特徴とする請求項４記載のランプ駆動装置。
【請求項６】
前記感知信号は、第１レベルを有する第１電流であり、前記基準信号は、前記第１レベルより小さい第２レベルを有する第２電流であることを特徴とする請求項１記載のランプ駆動装置。
【請求項７】
前記ベース基板には、前記電圧遮断信号により作動する警報装置が更に設置されていることを特徴とする請求項１記載のランプ駆動装置。
【請求項８】
前記感知センサーは、前記ランプから発生した光を光電効果により電流に変換して前記感知信号として出力する光電センサーであることを特徴とする請求項１記載のランプ駆動装置。
【請求項９】
前記光電センサーは、導電部材及び前記導電部材のうち前記ランプと向かい合う表面に形成されたアモルファスシリコン薄膜を含むことを特徴とする請求項８記載のランプ駆動装置。
【請求項１０】
前記各感知センサーの近傍には、前記感知センサーと向かい合うランプから発生した光のみを選択的に入射させるための光干渉防止部材が更に設けられていることを特徴とする請求項８記載のランプ駆動装置。
【請求項１１】
前記感知センサーは、前記各ランプから発生した光を光起電力効果により電流に変換して前記感知信号として出力する光電素子を含むことを特徴とする請求項１記載のランプ駆動装置。
【請求項１２】
前記光電素子は、薄膜形態のフォトダイオード又はフォトトランジスタであることを特徴とする請求項１１記載のランプ駆動装置。
【請求項１３】
前記感知センサーの近傍には、前記光電素子に対応するランプから発生した光のみを選択的に入射させるための光干渉防止部材が更に設けられていることを特徴とする請求項１１記載のランプ駆動装置。
【請求項１４】
表示を行うために必要な光を発生させるランプであって第１端部に第１電極、前記第１端部と向かい合う第２端部に第２電極が設けられた並列配列されたランプを備え、前記並列配列されたランプに前記ランプを点灯するのに必要なランプ駆動電圧が印加されるようにするランプ組立品と、
底面に前記ランプ組立品を収納して、前記ランプの位置に対応して開口が形成された収納容器と、
前記収納容器の外側表面と向かい合うように配置されたベース基板と、前記ベース基板上に設けられ前記ランプ駆動電圧を発生させるランプ駆動モジュールと、前記ベース基板上に設けられ前記各ランプと向かい合うように配置され前記各ランプの作動状態に対応して感知信号を出力する感知センサーと、前記ベース基板上に配置され、前記各感知信号のレベルを予め設定された基準信号のレベルと比較して前記各感知信号のレベルのうち少なくとも１つ以上が前記基準信号レベル以下である場合に、前記ランプ駆動電圧の印加を遮断するための電圧遮断信号を前記ランプ駆動モジュールに出力する電圧遮断モジュールを有するランプ駆動装置と、を含むことを特徴とするバックライト組立品。
【請求項１５】
前記ランプ組立品は、前記ランプ駆動電圧を印加する第１及び第２電圧印加モジュールを含み、前記ランプの第１電極は前記第１電圧印加モジュールに接続され、前記第２電極は前記第２電圧印加モジュールに接続され、前記第１電圧印加モジュール及び前記第２電圧印加モジュールは前記ランプ駆動モジュールに接続されたことを特徴とする請求項１４記載のバックライト組立品。
【請求項１６】
前記感知センサーは、前記各ランプから発生した磁力線を電磁誘導により電流に変換して前記感知信号として出力する導電部材を含むことを特徴とする請求項１４記載のバックライト組立品。
【請求項１７】
前記ランプと前記底面との間には、前記底面方向に向かう前記光を反射させるための反射板が更に設置されることを特徴とする請求項１４記載のバックライト組立品。
【請求項１８】
前記収納容器及び前記ベース基板に配置された前記感知センサーとは、絶縁手段により相互に絶縁されたことを特徴とする請求項１４記載のバックライト組立品。
【請求項１９】
前記絶縁手段は、前記収納容器と向かい合う前記ベース基板上に設けられ、前記感知センサーと前記収納容器とを離隔させる絶縁部材であることを特徴とする請求項１８記載のバックライト組立品。
【請求項２０】
前記感知センサーは、前記開口と対応する位置に配置されたことを特徴とする請求項１４記載のバックライト組立品。
【請求項２１】
前記ベース基板のうち、前記ランプと向かい合う第１面には前記感知センサーが配置され、前記ベース基板のうち、前記第１面と反対の第２面には前記ランプ駆動モジュール及び前記電圧遮断モジュールが配置されたことを特徴とする請求項１４記載のバックライト組立品。
【請求項２２】
表示のために必要な光を発生させるランプであって第１端部に第１電極、前記第１端部と向かい合う第２端部に第２電極が設けられた並列配列されたランプを備え、前記並列配列されたランプに前記ランプを点灯するのに必要なランプ駆動電圧が印加されるようにするランプ組立品と、内側底面に前記ランプ組立品を収納して、前記ランプの位置に対応して開口が形成された収納容器と、前記収納容器の外側表面と向かい合うように配置されたベース基板と、前記ベース基板に設けられ前記ランプ駆動電圧を発生させるランプ駆動モジュールと、前記ベース基板上に前記各ランプと向かい合うように配置されて前記各ランプの作動状態に対応して感知信号を出力する感知センサーと、前記ベース基板上に配置されて前記各感知信号のレベルを予め設定された基準信号のレベルと比較して前記各感知信号レベルのうち少なくとも１つ以上が前記基準信号レベル以下である場合に、前記ランプ駆動電圧の印加を遮断するための電圧遮断信号を前記ランプ駆動モジュールに出力する電圧遮断モジュールとを有するランプ駆動装置を含むバックライト組立品と、
前記収納容器に装着され前記ランプから発生した光を情報が含まれたイメージ光に変換する液晶表示パネル組立品と、を含むことを特徴とする液晶表示装置。
【発明の詳細な説明】
【技術分野】
【０００１】
本発明はランプ駆動装置、これを用いたバックライト組立品及びこれを用いた液晶表示装置に関し、より詳細にはランプの作動状態を感知してランプ駆動電圧の印加を迅速に遮断するランプ駆動装置、これを用いたバックライト組立品及びこれを用いた液晶表示装置に関するものである。
【背景技術】
【０００２】
一般に液晶表示装置（Liquid Crystal Display Device:ＬＣＤ）は、液晶（Liquid Crystal:ＬＤ）を用いて映像を表示する平板表示装置（Flat Display Panel device）の一つである。液晶は電界の強度によって光の透過率を変更させることができる。しかし、液晶自身は光を生成することが不可能なので、液晶表示装置は暗い所ではその機能を発揮することができない。
【０００３】
最近では、このような液晶表示装置の問題点を勘案して、暗い所でも映像や情報の表示を行うことができる液晶表示装置が開発されている。このような液晶表示装置の大部分は、液晶パネルの背面などにランプ（Lamp）を有している。表示面積が小さい液晶表示装置の場合には、１つ又は２つ程度のランプのみでも映像の表示が可能である。
【０００４】
最近、液晶表示装置の表示面積が漸次増加するにつれて、ランプの個数も増加してきている。ランプの数は、液晶表示装置の種類によっては１０〜２０個が用いられる場合もある。又、最近では複数個のランプが並列に配列された新たな液晶表示装置が開発されている。
【０００５】
しかし、多数のランプを装備した液晶表示装置は、ランプの個数に比例してランプ駆動装置の個数も増加するため、生産コストが非常に上昇し、液晶表示装置の大きさ及び重さが共に増加してしまう。
【０００６】
このような問題点を勘案して、最近では複数個のランプを並列配置し、この並列配置されたランプを電気的に並列接続し、１つ又は２つのランプ駆動装置で複数個のランプを同時に点灯する方式を有する液晶表示装置が開発されている。
【０００７】
しかし、このような方式の液晶表示装置は、ランプ駆動装置の個数を減少させることができるという長所を有する代わりに、複数個のランプのうちいずれかが故障して消灯してしまった場合、残りのランプに過負荷がかかり（過電流が流れ）、正常作動する他のランプ自体を破損させ、その寿命を短縮してしまう虞がある。
【発明の開示】
【発明が解決しようとする課題】
【０００８】
本発明の技術と課題はこのような点を考慮したもので、本発明の目的は、並列方式に配置されると共に電気的に並列方式に接続されて駆動されるランプにランプ駆動電圧を供給する機能、及びランプのうち少なくとも１つ以上が正常に作動していない場合に、これを感知して正常作動するランプに印加される電圧を迅速に遮断して正常なランプを保護するランプ駆動装置を提供することにある。
【０００９】
本発明の他の目的は、前記ランプ駆動装置を有するバックライト組立品を提供することにある。
【００１０】
本発明の更に他の目的は、前記バックライト組立品を有する液晶表示装置を提供することにある。
【課題を解決するための手段】
【００１１】
前述した本発明の特徴に係るランプ駆動装置は、並列配列されたランプと、前記ランプと向かい合うように配置されたベース基板と、前記ランプに印加されるランプ駆動電圧を発生させるために前記ベース基板に実装されたランプ駆動モジュールと、前記ベース基板に各ランプと向かい合うように配置され、各ランプの作動状態に対応して感知信号を出力する感知センサーと、ベース基板に配置され、各感知信号のレベルを予め設定された基準信号レベルと比較して、各感知信号のうち少なくとも１つ以上が前記基準信号のレベル以下である場合に、ランプ駆動電圧の印加を遮断するための電圧遮断信号を前記ランプ駆動モジュールに出力する電圧遮断モジュールと、を含む。
【００１２】
前述した本発明の特徴に係るバックライト組立品は、表示を行うために必要な光を発生させるランプであって第１端部に第１電極、第１端部と向かい合う第２端部に第２電極が形成された並列配列されたランプを備え、前記並列配列されたランプに前記ランプを点灯するのに必要なランプ駆動電圧が印加されるようにするランプ組立品と、内側底面にランプ組立品を収納して、ランプの位置に対応して開口が形成された収納容器と、収納容器の外側表面と向かい合うように配置されたベース基板と、前記ベース基板上に設けられ前記ランプ駆動電圧を発生させるランプ駆動モジュールと、ベース基板上に設けられ各ランプと向かい合うように配置されて各ランプの作動状態に対応して感知信号を出力する感知センサーと、ベース基板上に配置され、各感知信号のレベルを予め設定された基準信号レベルと比較して各感知信号のうち少なくとも１つ以上が前記基準信号レベル以下である場合に、ランプ駆動電圧の印加を遮断するための電圧遮断信号をランプ駆動モジュールに出力する電圧遮断モジュールを有するランプ駆動装置と、を含む。
【００１３】
前述した本発明の特徴に係る液晶表示装置は、表示のために必要な光を発生させるランプであって第１端部に第１電極、第１端部と向かい合う第２端部に第２電極が形成されたランプと、、第１電極及び第２電極を並列接続する電圧印加モジュールとを含むランプ組立品と、内側底面にランプ組立品を収納して、ランプの位置に対応して開口が形成された収納容器と、収納容器の外側表面と向かい合うように配置されたベース基板と、ベース基板上に設けられランプを点灯するのに必要なランプ駆動電圧を発生させるランプ駆動モジュールと、ベース基板上に設けられ各ランプと向かい合うように配置されて各ランプの作動状態に対応して感知信号を出力する感知センサーと、ベース基板上に配置されて各感知信号のレベルを予め設定された基準信号のレベルと比較して各感知信号レベルのうち少なくとも１つ以上が前記基準信号レベル以下である場合に、ランプ駆動電圧の印加を遮断するための電圧遮断信号をランプ駆動モジュールに出力する電圧遮断モジュールとを有するランプ駆動装置を含むバックライト組立品と、収納容器に装着されランプから発生した光を情報が含まれたイメージ光に変換する液晶表示パネル組立品と、を含む。
【００１４】
以上で詳細に説明したように、ランプを駆動するのに必要なランプ駆動電圧を発生するランプ駆動装置に、ランプの作動状態に対応する感知信号を発生する感知センサーを設置して、ランプ駆動装置でランプの点灯及び消灯も感知することができるようにして生産コストを低減し、ランプのうちいずれかが故障等によって消灯した場合に発生する諸問題を迅速に解決することができる。
【発明を実施するための最良の形態】
【００１５】
以下、添付図面を参照して本発明の実施形態をより詳細に説明する。
（ランプ駆動装置の実施形態）
【００１６】
（実施例１）
図１は本発明の実施形態に係るランプ駆動装置の第１実施例を示した概念図であり、図２は本実施例に係るランプ組立品及びランプ駆動装置の関係を示した概念図である。
【００１７】
まず、図１又は図２を参照して、ランプ駆動装置３００により駆動されるランプ組立品について説明する。
【００１８】
図１の符号２００は、ランプ駆動装置３００により印加されたランプ駆動電圧により点灯するランプ組立品である。ランプ組立品２００は、ランプ１００及び電圧印加モジュール１６０とを含む。
【００１９】
図２を参照すると、ランプ１００は、ランプ本体１１０、ランプ本体１１０の両端部に配置された第１電極１２０及び第２電極１３０を有する冷陰極線管方式のランプである。ランプ１００は、好ましくは少なくとも２つ以上が第１方向に沿って配向され、少なくとも２つ以上が第２方向に沿って並んで配置される。以下、ランプ１００の長さをＬ1、第２方向に複数のランプ１００が占める幅をＷ1とする。
【００２０】
電圧印加モジュール１６０は、ランプ１００を並列方式に接続する。ここで、電圧印加モジュール１６０は、第１電圧印加モジュール１４０及び第２電圧印加モジュール１５０で構成される。第１電圧印加モジュール１４０は、第１電極１２０を並列接続させ、第２電圧印加モジュール１５０は、第２電極１３０を並列接続させる。
【００２１】
ランプ駆動装置３００は、ランプ組立品２００のランプ１００を点灯させるためのランプ駆動電圧を、ランプ１００に印加する。
【００２２】
以下、ランプ組立品２００にランプ駆動電圧を印加するランプ駆動装置３００をより具体的に説明する。
【００２３】
図１又は図２を参照すると、ランプ駆動装置３００は、ベース基板３１０と、ランプ駆動モジュール３２０と、感知センサー３３０及び電圧遮断モジュール３４０とを含んでいる。
【００２４】
図３は、本実施例に係る図２のＡ−Ａ断面図である。
【００２５】
図２又は図３を参照すると、ベース基板３１０は、好ましくは信号が流れることができる回路パターンが絶縁基板上に形成された印刷回路基板である。ベース基板３１０は、第１面３０１及び第２面３０３を有する直六面体プレート形状を有し、ランプ組立品２００のランプ１００と向かい合うように配置される。また、ベース基板３１０の長さＬ2は、少なくとも第２方向にランプ１００が占める幅Ｗ1以上であることが望ましい。ベース基板３１０の第１面３０１は、ランプ組立品２００と向かい合い、第２面３０３は第１面３０１の反対側の面である。
【００２６】
ベース基板３１０は、好ましくはランプ１００の第１電極１２０及び第２電極１３０の中央部分に配置してもよいし、第１電極１２０又は第２電極１３０の中央部分から第１電極１２０又は第２電極１３０のいずれか一方に近い位置に配置してもよい。
【００２７】
図１又は図３を更に参照すると、ランプ駆動モジュール３２０は、ベース基板３１０に実装される。ランプ駆動モジュール３２０は、ランプ駆動電圧を電圧印加モジュール１６０に出力する。ランプ駆動モジュール３２０は、数〜数百[Ｖ]に過ぎない電圧を数〜数十[ｋＶ]に昇圧する機能を有する。ランプ駆動モジュール３２０は、ランプ駆動電圧を発生する機能以外に、ランプ駆動電圧の周波数やランプ駆動電圧の印加タイミングを調節する機能を併せ持つ。本実施例において、ランプ駆動モジュール３２０は、ベース基板３１０の第２面３０３に配置される。
【００２８】
感知センサー３３０は、ベース基板３１０の各面３０１，３０３の内、ランプ１００と向かい合う第１面３０１に実装される。本実施例において、感知センサー３３０は、各ランプ１００に対応して１つずつ配置される。
【００２９】
本実施例において、感知センサー３３０は導電部材３３６からなる。この導電部材３３６は、好ましくは金属、例えば銅で製作された銅片である。導電部材３３６は、ランプ１００から発生した磁力線を横断している。この過程で生じた電磁誘導（Electromagnetic Induction）現象により、導電部材３３６は電流の形で感知信号３２２を出力する。
【００３０】
感知センサー３３０は、ランプ１００の作動状態によって互いに異なる感知信号３３２を出力する。例えば、正常作動しているランプ１００と対応する位置に設置された感知センサー３３０から出力された感知信号３３２は最大振幅を示し、正常作動していないランプ１００と対応する位置に設置された感知センサー３３０から出力された感知信号３３２は最少振幅を示し、ランプ１００の作動状態が不良であるほど感知信号３３２の出力は連続的に低下する。
【００３１】
図４は、本実施例によっていずれかのランプに対応する導電部材から出力された感知信号のレベルの変化を示したグラフである。
【００３２】
図１又は図４のグラフを参照すると、Ｘ軸は時間を示し、Ｙ軸は信号のレベルを示す。ランプ１００は、使用開始初期には作動状態が優れているので、感知信号３３２のレベルは最も高い。一方、作動時間が増加するにつれてランプ１００の作動状態が漸次低下し、これにより感知信号３３２のレベルは漸次低下することになり、最終的にランプ１００に基づいて感知センサー３３０から出力される感知信号３２２のレベルは最低となる。
【００３３】
図４の線図ｂは、許容感知信号である基準信号のレベルを表している。この基準信号は、時間の経過に関係なく常に一定の信号レベルを有し、ランプ１００の状態を識別するための基準となる。即ち、感知信号３３２のレベルが基準信号レベル以上である場合、ランプ１００は正常作動しており、感知信号３２２のレベルが基準信号レベル未満である場合、ランプ１００は正常作動していないと識別できる。
【００３４】
しかしながら、各ランプ１００から発生した磁力線のレベルは、ランプ１００と感知センサー３３０の導電部材３３６との間の距離の増大に伴なって低下する。従って、ランプ１００と導電部材３３６との距離が非常に離れていると、ランプ１００が正常作動しているにもかかわらず、導電部材３３６からは基準信号レベル以下の感知信号が出力されてしまう場合がある。逆に、ランプ１００と導電部材３３６との間の距離が非常に小さいと、正常作動していないランプに対応する導電部材３３６から、基準信号レベル以上の信号レベルを有する感知信号が出力されてしまう場合もある。
【００３５】
具体的には、ランプ１００と導電部材３３６との間の距離が３ｍｍより短いか、５ｍｍより長いと、ランプの作動状態を正確に識別することが困難になる。このような理由で、本実施例ではランプ１００と導電部材３３６との距離を３〜５ｍｍ程度になるように調節する。
【００３６】
図５は、本実施例によるランプと導電部材との間の間隔を調節する間隔調節部材を図示した斜視図である。
【００３７】
図５を参照すると、ベース基板３１０の各面のうち、導電部材３３６が設けられた第１面３０１には、ベース基板３１０の縁に沿って間隔調節部材３０８が配置されている。間隔調節部材３０８は、導電部材３３６とランプ１００との間隔を調節する。
【００３８】
間隔調節部材３０８は、四角形の枠形状で、ベース基板３１０等に設けられている。また、間隔調節部材３０８は、このような枠形状ではなく、ベース基板３１０の第１面３０１の表面に柱形状の部材を配置するようにしてもよい。。この間隔調節部材３０８により、ランプ１００と導電部材３３６との間隔を３〜５ｍｍの間で調節することができることになる。間隔調節部材３０８は、絶縁手段として絶縁部材で製作され、ベース基板３１０の導電部材３３６が他の導電体とショートすることを防止する役割も果たす。
【００３９】
図１を更に参照すると、電圧遮断モジュール３４０は、ベース基板３１０に配置される。この電圧遮断モジュール３４０は、各感知センサー３３０からの感知信号３２２を受け入れる。電圧遮断モジュール３４０は、基準信号レベル及び感知信号レベルをそれぞれ比較して、比較結果に応じて電圧印加信号３４２又は電圧遮断信号３４４を生成する。
【００４０】
具体的に説明すると、電圧遮断モジュール３４０は、全ての感知センサー３３０からの感知信号３３２を受け入れる。そして、電圧遮断モジュール３４０は、基準信号レベルと感知信号レベルとを比較して、全ての感知信号３３２の信号レベルが基準信号レベルより大きいと判断された場合に、電圧印加信号３４２をランプ駆動モジュール３２０に向けて出力する。従って、全てのランプ１００は、ランプ駆動モジュール３２０から印加されたランプ駆動電圧により点灯する。
【００４１】
反面、電圧遮断モジュール３４０は、全ての感知センサー３４０からの感知信号レベルのうち、少なくとも１つ以上が基準信号レベルより低い場合には、ランプ駆動モジュール３２０に向けて電圧遮断信号３４４を出力する。これにより、ランプ駆動モジュール３２０は、ランプ１００に印加されたランプ駆動電圧を遮断して全てのランプ１００は消灯する。この時、すべてのランプ１００を消灯させるのは、正常作動していた他のランプに過電流（Excess Current）が流れるのをを防止するためである。
【００４２】
一方、電圧遮断信号３４４は、ランプ駆動モジュール３２０に向けて出力されると同時に、ベース基板３１０に設置された警報装置（Warning Device:３４５）にも出力される。この警報装置３４５は、電圧遮断信号３４４によって作動し、ランプ１００のうち、少なくとも１つ以上が正常作動していないことにより、全てのランプが消灯したことを、ユーザに対して音声又は警報音として知らせる。
【００４３】
本実施例によると、ランプ駆動モジュールは、ベース基板に複数個が並列接続されたランプにランプ駆動電圧を印加してランプを点灯させ、各ランプに対応して設置された感知センサーは、ランプの作動状態を感知する。電圧遮断モジュールは、各感知センサーから受け入れた感知信号レベルを基準信号レベルと比較して、少なくとも１つの感知信号のレベルが基準信号レベルより低い場合、ランプ駆動モジュールからランプに印加されるランプ駆動電圧を遮断して、正常作動するランプの破損を防止する。
【００４４】
（実施例２）
図６は、本実施形態の第２実施例に係るランプ駆動装置を示した概念図である。本実施例において、感知センサーを除いた残りの構成は、実施例１と同一であるので、その重複説明は省略し、実施例１と同一部分には同一図面符号及び名称を用いる。
【００４５】
図６を参照すると、ベース基板３１０の各面のうち、各ランプ１００と向かい合う側の第１面３０１には感知センサー３５０が配置されている。
【００４６】
本実施例による感知センサー３５０は、ランプ１００の作動状態に対応して感知信号３５６を生成する。感知センサー３５０は、ランプ１００の作動状態によってそれぞれ異なる感知信号３５６を出力する。例えば、正常作動するランプ１００と対応する位置に設置された感知センサー３５０から出力された感知信号３５６は最大振幅を示し、正常作動していないランプ１００と対応する位置に設置された感知センサー３５０から出力された感知信号３５６は最少振幅を示し、ランプ１００の作動状態が不良であるほど、感知信号３５６の出力は連続的に低下する。
【００４７】
感知信号３５６を生成する感知センサー３５０は、光を電流に変換する光電効果を発揮する光電部材である。本実施例で感知センサー３５０は、導電部材３５４及びアモルファスシリコン薄膜３５２で構成される。
【００４８】
導電部材３５４は、導電性を有する金属物質を用いることが好ましく、アモルファスシリコン薄膜３５２は、化学的気相蒸着（Chemical Vapored Deposition:ＣＶＤ）等の方法により導電部材３５４の上面に蒸着される。導電部材３５４の上面にアモルファスシリコン薄膜３５２が蒸着された感知センサー３５０は、更にベース基板３１０の第１面３０１上で各ランプ１００の位置に対応して配置される。
【００４９】
この時、導電部材３５４の一部は、電圧遮断モジュール３４０と電気的に接続されており、感知信号３５６が電圧遮断モジュール３４０に向けて出力されるようになっている。
【００５０】
本実施例による感知センサー３５０は、主に感知センサー３５０に対して垂直方向に入射する光の光量によって感知信号３５６を生成するものである。
【００５１】
しかし、ランプ１００と感知センサー３５０との距離が余り近くて光量が非常に多い場合、作動状態が良くないランプに対応する位置に配置された感知センサー３５０には、作動状態が良い近傍のランプから放射された光が入射する場合がある。このような現象は、隣接するランプ１００の間隔が狭い場合などにも頻繁に発生する。この場合、作動状態が良くないランプに対応する感知センサー３５０から出力された感知信号３５６のレベルは、作動状態に優れたランプに対応する感知センサー３５０の感知信号のレベルと類似してしまう。
【００５２】
図７は、本実施例による光干渉防止部材の部分切開斜視図である。
【００５３】
図７を参照すると、本実施例において、光干渉防止部材３５７は、感知センサー３５０の周辺近傍に設置され、この光干渉防止部材３５７は、感知センサー３５０を囲む形態を有する。光干渉防止部材３５７は、感知センサー３５０の外縁を囲む側壁３５７ａで構成され、光干渉防止部材３５７の上面は、感知センサー３５０に光が入射するように開口されている。光干渉防止部材３５７は、感知センサー３５０が隣接したランプ１００の作動状態の影響を受けることを防止するものである。
【００５４】
各感知センサー３５０により生成された感知信号３５６は、更に電圧遮断モジュール３４０に向けて出力される。電圧遮断モジュール３４０は、各感知センサー３５０で入力された感知信号の信号レベルを予め設定された基準信号レベルと比較する。比較の結果、全ての感知信号のレベルが基準信号レベル以上である場合、電圧遮断モジュール３４０は、電圧印加信号３４２をランプ駆動モジュール３２０に出力する。反面、感知センサー３５０から入力された感知信号レベルのうち、少なくとも１つ以上が基準信号レベル未満である場合には、電圧遮断モジュール３４０は電圧遮断信号３４４をランプ駆動モジュール３２０に出力する。
【００５５】
ランプ駆動モジュール３２０は、電圧遮断モジュール３４０から電圧遮断信号３４４が入力されると、各ランプ１００に印加しているランプ駆動電圧を強制的に遮断して、ランプ１００を共に強制消灯させる。
【００５６】
本実施例によると、ランプと感知センサーとの距離が著しく近いか或いは著しく遠いために、電磁誘導方式によってランプの作動状態を正確に識別することが困難な時、ランプから発生した光の光量を用いてランプの作動状態を識別することができる。
【００５７】
（実施例３）
図８は、本実施形態の第３実施例によるランプ駆動装置を図示した概念図である。本実施例では、感知センサーを除いた残りの構成は、実施例２と同一なので、その重複説明は省略し、実施例２と同一な部分については、同一な図面符号及び名称を用いる。
【００５８】
図８を参照すると、感知センサー３６０は、ランプ１００から発生した光の光学特性、例えば、光量に対応する感知信号３６６を生成する。
【００５９】
本実施例において、感知センサー３６０は、光起電力効果により光を電流に変換させる光電素子である。感知センサー３６０は、厚さが薄いフォトトランジスタ（Photo Transistor）又はフォトダイオード（Photo Diode）である。本実施例では感知センサー３６０としてフォトトランジスタが用いられる。
【００６０】
感知センサー３６０は、ベース基板３１０の第１面３０１上であって、各ランプ１００に対応する位置毎に配置されている。この時、感知センサー３６０が作動するために、感知センサー３６０の各第１電極３６２には駆動電圧Ｖccが印加され、各感知センサー３６０の第２電極３６４は、電圧遮断モジュール３４０に接続されている。この時、第１電極３６２に印加される駆動電圧Ｖccは、ランプ駆動モジュール３２０から信号線３６８を通じて印加される。フォトトランジスタの場合、第１電極３６２はエミッター電極になることができ、第２電極３６４は、コレクター電極になることができる。従って、感知センサー３６０は、ランプ１００から一定レベル以上の光がフォトトランジスタのベース電極側に照射されると、フォトトランジスタのしきい電圧が低くなり、エミッター電極３６２からコレクター電極３６４に電流が流れることになる。その結果、エミッター電極３６２に印加された駆動電圧は、コレクター電極３６４に出力される。コレクター電極３６４に出力された信号は、感知信号３６６となる。
【００６１】
感知センサー３６０としてフォトダイオード（Photo Diode）を用いる場合には、フォトダイオードのＰＮ接合部に逆方向電圧を印加した状態で、ランプ１００から一定レベル以上の光がフォトダイオード（Photo Diode）のＰＮ接合部に照射されると、フォトダイオードが作動して感知信号を出力する。
【００６２】
電圧遮断モジュール３４０は、コレクター電極３６４から出力された感知信号３６６を受けいれて、ランプ１００の作動状態を判断する。例えば、作動状態が良いランプ１００に対応する位置に配置された感知センサー３６０は、ハイレベルの感知信号を出力する。反面、作動状態が良くないランプ１００に対応する位置に配置された感知センサー３６０は、相対的に少ない光量の光が入射されるため、ローレベルの感知信号を出力するか、あるいは感知信号を出力しない。
【００６３】
電圧遮断モジュール３４０は、少なくとも１つの感知センサー３６０からローレベルの感知信号３６６が入力されると、電圧遮断信号３４４をランプ駆動モジュール３２０に出力する。ランプ駆動モジュール３２０は、電圧遮断信号３４４に基づいて、各ランプ１００に印加されているランプ駆動電圧を遮断する。
【００６４】
反面、電圧遮断モジュール３４０は、全ての感知センサー３６０からハイレベルの感知信号３６６が入力されると、電圧印加信号３４２をランプ駆動モジュール３２０に出力する。ランプ駆動モジュール３２０は、電圧印加信号３４２に基づいて各ランプ１００にランプ駆動電圧を印加する。
【００６５】
本実施例は、ランプと感知センサーとの距離が著しく近いか或いは著しく遠くて電磁誘導方式または光電効果によりランプの正常又は異常を感知することが困難な場合に特に適合する。
（バックライト組立品の実施形態）
【００６６】
（実施例１）
図９は、本発明に係るバックライト組立品の第１実施例を図示した斜視図である。
【００６７】
図９を参照すると、バックライト組立品５００は、ランプ組立品２００、ランプ駆動装置３００及び収納容器４００で構成される。
【００６８】
ランプ組立品２００は、好ましくはランプ１００及び電圧印加モジュール１６０で構成される。
【００６９】
ランプ１００は、ランプ本体１１０と、ランプ本体１１０の第１端部に配置された第１電極１２０及び第１断部と向かい合う第２端部に配置された第２電極１３０とで構成される。本実施例において、第１電極１２０及び第２電極１３０は、ランプ本体１１０の外側面に配置された外部電極である。
【００７０】
ランプ１００は、好ましく第１方向に向けて配向され、少なくとも２つ以上が第２方向に並んで配列される。以下、ランプ１００が占める長さをＬ1、第２方向にランプ１００が占める幅をＷ1と定義することにする。
【００７１】
並列配列されたランプ１００は、電圧印加モジュール１６０によって並列方式に接続される。電圧印加モジュール１６０は、第１電圧印加モジュール１４０及び第２電圧印加モジュール１５０とを含む。
【００７２】
第１電圧印加モジュール１４０は、第１導電プレート１４５と、第１電極１２０を並列方式に固定する第１クリップ１４７とで構成される。第２電圧印加モジュール１５０は、第２導電プレート１５５と、並列方式に第２電極１３０を固定するための第２クリップ１５７とで構成される。第１電圧印加モジュール１４０には、第１電圧印加線１４９が接続され、第２電圧印加モジュール１５０には第２電圧印加線１５９が接続される。
【００７３】
収納容器４００は、上記したランプ組立品２００を収納する。収納容器４００は、ランプ組立品２００を固定するための底面４１０及びランプ組立品２００を囲んで収納するための側面４２０で構成される。収納容器４００の底面４１０は、ランプ組立品２００を固定するのに充分な面積を有し、側面４２０はランプ組立品２００を収納するのに充分な収納空間が形成される高さに、底面４１０のエッジから突出している。
【００７４】
収納容器４００の底面４１０のうち、ランプ組立品２００のランプ１００と向かい合う位置に開口４１５が形成される。開口４１５は、ランプ１００から放射された光又は磁力線が通過するのに充分な面積を有する。本実施例において、開口４１５は収納容器４００の底面４１０に第２方向に沿って一列に並んで配置される。
【００７５】
これら以外にも、収納容器４００の底面４１０には、ランプ組立品２００を構成する第１電圧印加モジュール１４５に接続された第１電圧印加線１４９を底面４１０の外側に引出するための第１電源ケーブル開口４１７や、第２電圧印加モジュール１５０に接続された第２電圧印加線１５９を底面４１０の外側に引出するための第２電源ケーブル開口４１９が形成される。
【００７６】
第１電圧印加線１４９は、ランプ駆動装置３００の第１出力端３８０に接続され、第２電圧印加線１５９は、第２出力端３９０に接続される。第１出力端３８０及び第２出力端３９０は、ランプ駆動モジュール３２０に接続されている。
【００７７】
一方、収納容器４００の底面４１０の外側表面には、ランプ１００のうち作動状態が良くないランプが感知された場合に、ランプ１００を全て消灯させるためのランプ駆動装置３００が配置されている。ランプ駆動装置３００と収納容器４００は、相互絶縁される。特に、収納容器４００が導電体で製作される場合、ランプ駆動装置３００及び収納容器４００とは、相互に完全に絶縁されなければならない。これを実現するために、図５に図示されたように、ランプ駆動装置３００のベース基板３１０のエッジに沿って、ベース基板３１０の感知センサー３３０と収納容器４００とを絶縁させる絶縁部材を設けることが好ましい。
【００７８】
本実施例において、ランプ駆動装置３００はベース基板３１０と、ベース基板３１０にランプ組立品２００のランプ１００に対応して設置された感知センサー３３０と、ランプ組立品２００の電圧印加モジュール１６０にランプ駆動電圧を印加するランプ駆動モジュール３２０及び感知センサー３３０により出力された感知信号のレベルを予め設定された基準信号レベルと比較してランプ駆動電圧を印加し又はその電圧印加を遮断する電圧遮断モジュール３４０とを含む。
【００７９】
本実施例に係る感知センサー３３０は、電磁誘導によってランプ１００から発生した磁力線を電流に変換する導電部材である。
【００８０】
本実施例に係るランプ駆動装置３００は、前述したランプ駆動装置の実施例１と同様なのでその詳細な説明は省略し、ランプ駆動装置３００の同一な構成要素については、同一な図面符号及び名称を用いる。
【００８１】
一方、収納容器４００の底面４１０にはランプ組立品２００のランプ１００から発生した光を底面４１０で反射させるための反射板４６０を更に設置することができる。
【００８２】
（実施例２）
図１０は、本実施形態の第２実施例に係るバックライト組立品の分解斜視図である。本実施例において、反射板及び感知センサーを除いた残りの構成は、バックライト組立品の実施例１と同様なので、その重複説明は省略し、実施例１と同一な部分については同一な図面符号及び名称を用いる。
【００８３】
図１０を参照すると、本実施例において、感知センサー３５０は、導電部材３５４及びアモルファスシリコン薄膜３５２で構成される。アモルファスシリコン薄膜３５２は、導電部材３５４の上面に配置される。アモルファスシリコン薄膜３５２は、光電効果によってランプ１００から発生した光を電流に変換する。
【００８４】
本実施例でこれを実現するために、反射板４６０に反射板開口４６５が形成される。反射板開口４６５は、ランプ１００から放射された光がランプ駆動装置３００の感知センサー３５０に入射されるようにするものである。この時、反射板開口４６５の位置は、収納容器４００の底面４１０に形成された開口４１５と一致するようになっている。
【００８５】
（実施例３）
図１１は、本発明の第３実施例に係るバックライト組立品の分解斜視図である。本実施例において、反射板及び感知センサーを除いた残りの構成は、バックライト組立品の実施例２と同様なのでその重複説明は省略し、実施例２と同一な部分には同一な図面符号及び名称を用いる。
【００８６】
図１１を参照すると、本実施例において、感知センサー３６０は、光電効果により光を電流に変換させる光電素子である。本実施例では、感知センサー３６０としてフォトダイオード又はフォトトランジスタが用いられる。
【００８７】
本実施例においてこれを具現するために、反射板４６０に反射板開口４６５が形成される。反射板開口４６５は、ランプ１００から発生した光がランプ駆動装置３００の感知センサー３６０に入射されるようにする。この時、反射半開口４６５の位置は、収納容器４００の底面４１０に形成された開口４１５と一致するようになっている。
（液晶表示装置の実施形態）
【００８８】
図１２は、本実施形態に係る液晶表示装置の一実施例を図示した分解斜視図である。
【００８９】
図１２を参照すると、液晶表示装置８００は、バックライト組立品５００と、液晶表示パネル６００とを含む。液晶表示装置８００は、シャーシ７００を更に含むことができる。
【００９０】
バックライト組立品５００は、ランプ組立品２００と、ランプ駆動装置３００と、収納容器４００と、反射板４６０と、光学プレート４９０とを含む。
【００９１】
ランプ組立品２００は、ランプ１００及び電圧印加モジュール１６０とで構成される。ランプ組立品２００のより詳細な説明は、前述したランプ駆動装置の実施例及びバックライト組立品の実施例で詳細に説明したので、重複説明は省略する。
【００９２】
収納容器４００は、ランプ組立品２００を収納する。収納容器４００の底面４１０にはランプ組立品２００の各ランプ１００に対応する位置に開口４１５が形成されている。開口４１５は、ランプ１００から発生した磁力線又は光を通過させるのに充分な面積を有する。
【００９３】
収納容器４００の底面４１０の外側には、ランプ駆動装置３００が実装されている。このランプ駆動装置３００は、ベース基板３１０と、ベース基板３１０のうち収納容器４００の開口４１５と向かい合う第１面３０１に設けられた感知センサー３３０と、ベース基板３１０の第１面３０１の反対側の第２面３０３に配置されてランプ駆動電圧を出力するランプ駆動モジュール３２０と、感知センサー３３０から出力された感知信号レベルを予め設定された基準信号レベルと比較してランプ駆動電圧を印加し又はその印加を遮断する電圧遮断モジュール３４０とを含む。
【００９４】
感知センサー３３０は、ランプ１００から発生した磁力線を感知して感知信号を出力する。これを実現するために、感知センサー３３０は、磁力線の変化を感知して電流に変換する導電部材が用いられる。
【００９５】
これ以外にも、感知センサーは、ランプ１００から発生した光を電流に変換するアモルファスシリコンからなる光電部材又はランプ１００から発生した光によって電流を発生させる光電素子を用いることができる。
【００９６】
全ての感知センサー３３０で予め設定された基準信号より高いレベルの信号が出力されると、ランプ駆動装置３００の電圧遮断モジュール３４０は、電圧印加信号をランプ駆動モジュール３２０に出力して、ランプ駆動電圧をランプ組立品２００の電圧印加モジュール１６０に印加して、ランプが継続して点灯状態を維持するようにする。
【００９７】
反面、いずれか一つ以上の感知センサー３３０から予め設定された基準信号より低いレベルの信号が出力されると、電圧遮断モジュール３４０は電圧遮断信号をランプ駆動モジュール３２０に出力し、ランプ駆動モジュール３２０はランプ組立品２００の電圧印加モジュール１６０に印加されるランプ駆動電圧を遮断して、全てのランプが消灯するようにする。
【００９８】
また、収納容器４００の底面４１０とランプ組立品２００との間には、所定の反射板４６０を設置することができる。反射板４６０は、ランプ１００から発生した光のうち、収納容器４００の底面４１０に向かう光を、液晶表示パネル６００の方向に反射させてディスプレイ輝度を向上させる。
【００９９】
また、収納容器４００には、液晶表示パネル６００が設置される。この液晶表示パネル６００は、ランプ組立品２００から発生した光を情報が含まれたイメージ光に変換する。
【０１００】
これを実現するために、液晶表示パネル６００は、ＴＦＴ基板６１０と、液晶６２０及びカラーフィルター基板６３０とで構成される。
【０１０１】
ＴＦＴ基板６１０は、第１透明基板にマトリックス形状に薄膜トランジスタを配置し、各薄膜トランジスタ毎に画素電極を配置して構成される。
【０１０２】
カラーフィルター基板６３０は、ＴＦＴ基板６１０と向かい合うように配置され、第２透明基板に形成された共通電極及びカラーフィルターを含む。共通電極は、第２透明基板の全面積にかけて形成され、画素電極と向かい合うように配置される。カラーフィルターは、共通電極と第２透明基板との間に配置され、各画素電極に対応する位置毎に形成される。
【０１０３】
液晶６２０は、ＴＦＴ基板６１０及びカラーフィルター基板６３０の間に配置され画素電極及び共通電極の間の電界差によりランプ組立品２００から発生した光の光量を調節する。液晶６２０を通過した光は、カラーフィルターを通過してユーザが所望する映像を認識することができるようになる。
【０１０４】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１０５】
【図１】本発明の第１実施例に係るランプ駆動装置を示した概念図である。
【図２】図１に図示したランプ組立品及びランプ駆動装置の関係を示した概念図である。
【図３】図２のＡ−Ａ断面図である。
【図４】図１に図示したランプ駆動装置で導電部材から出力された信号のレベルを示したグラフである。
【図５】図１に図示したランプと導電部材との間の間隔を調節する間隔調節部材を示した斜視図である。
【図６】本発明の第２実施例に係るランプ駆動装置を示した概念図である。
【図７】図６に図示したランプ駆動装置において光干渉防止部材の部分切開斜視図である。
【図８】本発明の第３実施例に係るランプ駆動装置を示した概念図である。
【図９】本発明に係るバックライト組立品の第１実施例を示した分解斜視図である。
【図１０】本発明の第２実施例に係るバックライト組立品の分解斜視図である。
【図１１】本発明の第３実施例に係るバックライト組立品の分解斜視図である。
【図１２】本発明に係る液晶表示装置の一実施例を示した分解斜視図である。
【符号の説明】
【０１０６】
１００    ランプ
１１０    ランプ本体
１２０    第１電極
１３０    第２電極
１４０    第１電圧印加モジュール
１４９    第１電圧印加線
１５０    第２電圧印加モジュール
１５９    第２電圧印加線
１６０    電圧印加モジュール
２００    ランプ組立品
３００    ランプ駆動装置
３０８    間隔調節部材
３１０    ベース基板
３２０    ランプ駆動モジュール
３３２    感知信号
３３０    感知センサー
３３６    導電部材
３４０    電圧遮断モジュール
４００    収納容器
４６０    反射板
４６５    反射板開口
６００    液晶表示パネル
６１０    ＴＦＴ基板
６２０    液晶
６３０    カラーフィルター基板
【図１】
2004265869.tif 000003
【図２】
2004265869.tif 000004
【図３】
2004265869.tif 000005
【図４】
2004265869.tif 000006
【図５】
2004265869.tif 000007
【図６】
2004265869.tif 000008
【図７】
2004265869.tif 000009
【図８】
2004265869.tif 000010
【図９】
2004265869.tif 000011
【図１０】
2004265869.tif 000012
【図１１】
2004265869.tif 000013
【図１２】
2004265869.tif 000014